【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
記録媒体と、該記録媒体にアクセス可能な複数のホストと、該記録媒体に対する該複数のホストのアクセスを調停する調停手段と、を有するシステムのアクセス調停方法において、
１つのホストが、前記調停手段を介して他のホストに前記記録媒体の明渡し要求を送信するステップと、
前記他のホストが、前記明渡し要求に応答して前記記録媒体の明渡し許可を前記調停手段を介して前記１つのホストに送信するステップと、
前記１つのホストが、前記明渡し許可を受信することにより、前記１つのホストの記録媒体に対するアクセス権を取得するステップと、を備えることを特徴とするアクセス調停方法。
【請求項２】
前記明渡し要求には、緊急の明渡し要求が含まれ、
前記記録媒体にアクセス中のホストが前記緊急の明渡し要求を受信すると、そのホストにおける処理を中断して前記明渡し許可を返信すること、を含む請求項１記載の方法。
【請求項３】
前記明渡し要求には、強制の明渡し要求が含まれ、
前記記録媒体にアクセス中のホストが前記強制の明渡し要求を受信すると、そのホストにおける処理を強制的に中止して前記明渡し許可を返信すること、を含む請求項１記載の方法。
【請求項４】
前記記録媒体の初期化終了後、前記調停手段は、前記記録媒体に対するアクセス許可と終了要求を前記複数のホストに所定の時間間隔で順次発行し、それによって前記複数ホストのアクセス権を切替えること、を含む請求項１記載の方法。
【請求項５】
前記記録媒体の初期化を行うホストが、前記調停手段へ前記所定の時間間隔の設定通知を行うこと、
前記調停手段は、前記通知された設定内容をその他のホストに通知すること、
前記その他のホストは、前記設定内容に同意しない場合には再設定通知を行うこと、
前記調停手段は、同意された前記所定の時間間隔で、前記複数ホストのアクセス権を切替えること、を含む請求項４記載の方法。
【請求項６】
前記記録媒体の初期化を行うホストが、前記調停手段に対してアクセスエリアの割り当て通知を行うこと、
前記調停手段は、前記通知された設定内容をその他のホストに通知すること、
前記その他のホストは、前記通知内容に同意しない場合には再割り当て通知を行うこと、
前記調停手段は、同意されたアクセスエリアの割り当てを、前記複数のホストに通知すること、を含み、
前記複数のホストは、通知されたアクセスエリアへのアクセスを実施するために、前記記録媒体の明渡し要求を発行すること、を特徴とする請求項１記載の方法。
【請求項７】
前記システムは、さらに前記記録媒体に対するアクセス権を有しないホストがそれを取得するまでの間だけそのホストの一時データをホスト−キャッシュ間の通信によって格納するキャッシュメモリを有し、
前記調停手段は、前記記録媒体に対するアクセス権を有しないホストが前記記録媒体に対するアクセス権を取得したときに、前記キャッシュメモリ内のデータを前記記録媒体に転送してから当該ホストによる明渡し許可を与えること、を含む請求項１記載の方法。
【請求項８】
記録媒体にアクセス可能な複数のホストからの前記記録媒体に対するアクセスを調停するアクセス調停装置において、
１つのホストから記録媒体の明渡し要求を取得すると、他のホストに明渡し要求を送信する要求送信手段と、
前記他のホストから記録媒体の明渡し許可を取得すると、前記１つのホストに明渡し許可を送信する許可送信手段と、を備えることを特徴とするアクセス調停装置。
【請求項９】
記録媒体と、該記録媒体にアクセス可能な複数のホストと、該複数のホストの該記録媒体に対するアクセスを調停する調停手段と、を備え、
前記複数のホストの各々は、前記調停手段に記録媒体の明渡し要求を送信する第１の要求送信手段と、前記調停手段から送信される前記明渡し要求に応答して明渡し許可を送信する第１の許可送信手段と、前記調停手段から送信される記録媒体の前記明渡し許可に応答して前記記録媒体にアクセスするアクセス手段と、を有し、
前記調停手段は、１つのホストから前記明渡し要求を取得すると、他のホストに明渡し要求を送信する第２の要求送信手段と、前記他のホストから前記明渡し許可を取得すると、前記１つのホストに明渡し許可を送信する第２の許可送信手段と、を有することを特徴とする記録媒体共有システム。
【手続補正２】
【補正対象書類名】明細書
【補正対象項目名】発明の名称
【補正方法】変更
【補正の内容】
【発明の名称】記録媒体へのアクセスを調停する方法及び装置並びに記録媒体共有システム
【手続補正３】
【補正対象書類名】明細書
【補正対象項目名】０００１
【補正方法】変更
【補正の内容】
【０００１】
本発明は記録媒体の共有方法に関し、特に１つのＨＤＤ (Hard Disc Drive) を共有する複数ホストの所有権を調停して適宜切替えるＨＤＤのアクセス調停方法及び装置並びに共有システムに関するものである。
【手続補正４】
【補正対象書類名】明細書
【補正対象項目名】０００９
【補正方法】変更
【補正の内容】
【０００９】
そこで本発明の目的は、上記種々の問題点に鑑み、複数マイコンによる共有ＨＤＤへのアクセスを適宜調停して切替える手段を設けることで、各マイコンは既存のＨＤＤインタフェース（ＡＴＡ）を用いて任意のタイミングでＨＤＤにアクセスでき、また特定のマイコンに負荷が集中せず、さらにマイコン間での大量データの通信が不要となる、ＨＤＤのアクセス調停方法及び装置並びに共有システムを提供することにある。
【手続補正５】
【補正対象書類名】明細書
【補正対象項目名】００１０
【補正方法】変更
【補正の内容】
【００１０】
本発明によれば、記録媒体と、該記録媒体にアクセス可能な複数のホストと、該記録媒体に対する該複数のホストのアクセスを調停する調停手段と、を有するシステムのアクセス調停方法において、１つのホストが、前記調停手段を介して他のホストに前記記録媒体の明渡し要求を送信するステップと、前記他のホストが、前記明渡し要求に応答して前記記録媒体の明渡し許可を前記調停手段を介して前記１つのホストに送信するステップと、前記１つのホストが、前記明渡し許可を受信することにより、前記１つのホストの記録媒体に対するアクセス権を取得するステップと、を備えることを特徴とするアクセス調停方法が提供される。
また、本発明によれば、記録媒体にアクセス可能な複数のホストからの前記記録媒体に対するアクセスを調停するアクセス調停装置において、１つのホストから記録媒体の明渡し要求を取得すると、他のホストに明渡し要求を送信する要求送信手段と、前記他のホストから記録媒体の明渡し許可を取得すると、前記１つのホストに明渡し許可を送信する許可送信手段と、を備えることを特徴とするアクセス調停装置が提供される。
また、本発明によれば、記録媒体と、該記録媒体にアクセス可能な複数のホストと、該複数のホストの該記録媒体に対するアクセスを調停する調停手段と、を備え、前記複数のホストの各々は、前記調停手段に記録媒体の明渡し要求を送信する第１の要求送信手段と、前記調停手段から送信される前記明渡し要求に応答して明渡し許可を送信する第１の許可送信手段と、前記調停手段から送信される記録媒体の前記明渡し許可に応答して前記記録媒体にアクセスするアクセス手段と、を有し、前記調停手段は、１つのホストから前記明渡し要求を取得すると、他のホストに明渡し要求を送信する第２の要求送信手段と、前記他のホストから前記明渡し許可を取得すると、前記１つのホストに明渡し許可を送信する第２の許可送信手段と、を有することを特徴とする記録媒体共有システムが提供される。
【手続補正６】
【補正対象書類名】明細書
【補正対象項目名】００１１
【補正方法】変更
【補正の内容】
【００１１】
本発明によれば、一方のホストは他のホストを意識することなく、既存の記録媒体用ハードウェア及びソフトウェアを用いて共有記録媒体にアクセス可能となる。また、ホスト間での直接通信も不要となり、その間における大量データの転送処理は発生しない。さらに、大規模なメモリ共有が容易に実現できる。前記記録媒体には、ＨＤＤ、メモリカード、ＣＤ、シリアルＡＴＡ等の大容量記録媒体が含まれる。